(57)【要約】【課題】画像記録装置が備える押しボタンスイッチの操作性を損なうことなく、簡単な構成によって防水する。【解決手段】記録媒体に画像を記録して、本体の前面に設けられた排出口から排出するプリンターにおいて、本体の上面および背面の少なくとも一部を構成する上面パネル部材２１を備え、本体の上面２１ａに、押しボタンスイッチの操作子３１が収められるスイッチ穴２６が設けられ、スイッチ穴２６の近傍に肉盗み穴２１ｃが設けられ、スイッチ穴２６および肉盗み穴２１ｃを覆うウレタンエラストマー製のシート４０が配設されている。【選択図】図２
2010149378.tif 000002
【特許請求の範囲】
【請求項１】
記録媒体に画像を記録して、本体の前面に設けられた排出口から排出する画像記録装置において、
前記本体の上面および背面の少なくとも一部を構成する上面パネル部材を備え、
前記本体の上面に、押しボタンスイッチの操作子が収められるスイッチ穴が設けられ、前記スイッチ穴の近傍に肉盗み穴が設けられ、前記スイッチ穴および前記肉盗み穴を覆うウレタンエラストマー製のシートが配設されたこと、
を特徴とする画像記録装置。
【請求項２】
前記シートの裏面は、前記スイッチ穴の周囲に接着固定されるとともに、前記操作子の上面は前記シートの裏面に接離可能であること、
を特徴とする請求項１記載の画像記録装置。
【請求項３】
前記本体の上面は、前記画像記録装置の設置面に対し、前記本体の前面側が高く背面側が低い傾斜面であり、
前記肉盗み穴は、前記スイッチ穴より下方に位置すること、を特徴とする請求項１または２記載の画像記録装置。
【請求項４】
前記押しボタンスイッチは、前記画像記録装置の電源のオンとオフとを切り替えるための電源スイッチであること、
を特徴とする請求項１から３のいずれかに記載の画像記録装置。
【請求項５】
記録媒体に画像を記録して、本体の前面に設けられた排出口から排出する画像記録装置の防水構造であって、
前記本体の上面および背面の少なくとも一部を構成する上面パネル部材に、前記本体の上面に相当する位置に、押しボタンスイッチの操作子が収められるスイッチ穴が設けられ、前記スイッチ穴の近傍に肉盗み穴が設けられており、前記スイッチ穴および前記肉盗み穴を覆うウレタンエラストマー製のシートが配設されたこと、
を特徴とする画像記録装置の防水構造。
【発明の詳細な説明】
【技術分野】
【０００１】
本発明は、記録媒体に画像を記録する画像記録装置、および、この画像記録装置の防水構造に関する。
【背景技術】
【０００２】
従来、画像記録装置において、操作パネルに防水性を持たせるため、撥水性を有するフィルムで覆った例が開示されている（例えば、特許文献１参照）。
【特許文献１】特開平２００６−２７６４８０号公報
【発明の開示】
【発明が解決しようとする課題】
【０００３】
上記従来の画像記録装置のように操作パネルをフィルムで覆った場合、操作パネルの操作性はフィルムの特性により強く制約される。すなわち、操作パネルを押圧しても、フィルムの弾性が許す範囲でしか操作できなくなり、例えば、耐久性に富む硬質なフィルムで操作パネルを覆った場合には、このフィルムが撓む量しか、操作時のストロークを確保できない。また、操作性を良くするため柔軟なフィルムを用いると、フィルムの耐久性を確保することが困難であった。このため、深く沈み込むタイプのスイッチ類にはフィルムによる防水構造を適用できず、パッキン等を用いた複雑な防水構造が用いられていた。
本発明は、上述した事情に鑑みてなされたものであり、画像記録装置において、簡単な構造によって、良好な操作性を確保しながら、スイッチの防水を可能とすることを目的とする。
【課題を解決するための手段】
【０００４】
上記課題を解決するため、本発明は、記録媒体に画像を記録して、本体の前面に設けられた排出口から排出する画像記録装置において、前記本体の上面および背面の少なくとも一部を構成する上面パネル部材を備え、前記本体の上面に、押しボタンスイッチの操作子が収められるスイッチ穴が設けられ、前記スイッチ穴の近傍に肉盗み穴が設けられ、前記スイッチ穴および前記肉盗み穴を覆うウレタンエラストマー製のシートが配設されたことを特徴とする画像記録装置を提供する。
この構成によれば、本体の上面および背面の少なくとも一部を構成する上面パネル部材を備えた構成において、押しボタンスイッチの操作子を収めるスイッチ穴および肉盗み穴をウレタンエラストマー製のシートによって覆うことで、操作子および肉盗み穴への液体の浸入を防止できるとともに、耐久性および可撓性に富むウレタンエラストマーのシートを用いることで、操作時のストローク量が大きい操作子であっても十分に押し込むことができ、良好な操作感で操作できる。これにより、画像記録装置が備える押しボタン式の操作子の操作性を損なうことなく、簡単な構成によって防水できる。また、ストローク量の大きい操作子を収容するためのスイッチ穴を設けた上面パネルを金型による成形で形成するために、ヒケ防止用の肉盗み穴を設けた構成において、スイッチ穴とともに肉盗み穴を容易に防水できるので、画像記録装置の加工性を損なうことなく、防水性を確保できる。そして、スイッチ穴が設けられた上面パネル部材は、画像記録装置本体の上面および背面の少なくとも一部を構成するものなので、スイッチ穴と肉盗み穴とを防水することによって、画像記録装置の上面全体を防水することができ、簡単な構成によって画像記録装置の防水性能を大幅に高めることができる。
【０００５】
上記構成において、前記シートの裏面は、前記スイッチ穴の周囲に接着固定されるとともに、前記操作子の上面は前記シートの裏面に接離可能であっても良い。
この構成によれば、スイッチ穴にシートを接着により簡単に固定することができ、操作子の上面がシートの裏面に張り付いていないため、シートの伸縮が妨げられない。このため、シートが十分に伸縮可能であり、良好な操作性を確保できる。
【０００６】
また、前記本体の上面は、前記画像記録装置の設置面に対し、前記本体の前面側が高く背面側が低い傾斜面であり、前記肉盗み穴は、前記スイッチ穴よりも下方に位置する構成としても良い。
この場合、スイッチ穴と、このスイッチ穴より下方に位置して、液体が流れる場合の下流側に位置する肉盗み穴を、シートによって容易に、かつ確実に防水できる。
さらに、前記押しボタンスイッチは、前記画像記録装置の電源のオンとオフとを切り替えるための電源スイッチであっても良い。
この場合、電源スイッチを簡単かつ交換等の修理が容易な構造によって防水できる。また、誤操作を防止するため深い押し込み量に設定されることが多い電源スイッチに対応して、操作性を損なうことなく、防水構造を適用できる。
【０００７】
また、本発明は、記録媒体に画像を記録して、本体の前面に設けられた排出口から排出する画像記録装置の防水構造であって、前記本体の上面および背面の少なくとも一部を構成する上面パネル部材に、前記本体の上面に相当する位置に、押しボタンスイッチの操作子が収められるスイッチ穴が設けられ、前記スイッチ穴の近傍に肉盗み穴が設けられており、前記スイッチ穴および前記肉盗み穴を覆うウレタンエラストマー製のシートが配設されたことを特徴とする画像記録装置の防水構造を提供する。
この構成によれば、本体の上面および背面の少なくとも一部を構成する上面パネル部材を備えた構成において、押しボタンスイッチの操作子を収めるスイッチ穴および肉盗み穴をウレタンエラストマー製のシートによって覆うことで、操作子および肉盗み穴への液体の浸入を防止できるとともに、耐久性および可撓性に富むウレタンエラストマーのシートを用いることで、操作時のストローク量が大きい操作子であっても十分に押し込むことができ、良好な操作感で操作できる。これにより、画像記録装置が備える押しボタン式の操作子の操作性を損なうことなく、簡単な構成によって防水できる。また、ストローク量の大きい操作子を収容するためのスイッチ穴を設けた上面パネルを金型による樹脂成形で形成するため、ヒケ防止用の肉盗み穴を設けた構成において、スイッチ穴とともに肉盗み穴を容易に防水できるので、画像記録装置の加工性を損なうことなく、防水性を確保できる。そして、上面パネル部材は画像記録装置本体の上面および背面の少なくとも一部を構成するものなので、スイッチ穴と肉盗み穴とを防水することによって、画像記録装置の上面全体を防水することができ、簡単な構成によって画像記録装置の防水性能を大幅に高めることができる。
【発明の効果】
【０００８】
本発明によれば、画像記録装置が備える押しボタンスイッチの操作性を損なうことなく、簡単な構成によって防水できる。
【発明を実施するための最良の形態】
【０００９】
以下、図面を参照して本発明の実施形態について説明する。
図１は、本発明を適用した実施の形態に係るサーマルプリンター１を示す斜視図である。
画像記録装置としてのサーマルプリンター１（以下、プリンター１という）は、感熱紙をロール状に巻いたロール紙（図示略）を記録媒体とし、発熱素子を備えた記録ヘッド（図示略）により、ロール紙に文字を含む画像を記録するプリンターである。
本実施形態では、一例として、飲食店等の厨房で用いられ、料理等の注文に応じて厨房内の調理者等に注文内容を知らせるチケット伝票を記録及び出力する、いわゆるキッチンプリンターであるプリンター１について説明する。
【００１０】
プリンター１の本体ケース１０（本体）は、図１に示すように、プリンター１の前面を構成する前面パネル１１および前面上部パネル１２と、略箱形のケースカバー２０とを組み合わせて構成される。前面パネル１１、前面上部パネル１２およびケースカバー２０は、いずれも樹脂の成形品である。プリンター１の前面には、プリンター１によって画像が記録されたロール紙を排出する排紙口１６が開口し、この排紙口１６の上に前面上部パネル１２が配置され、排紙口１６の下に前面パネル１１が配置される。
前面パネル１１は、プリンター１の前面に開閉可能に取り付けられ、前面パネル１１の側方には解除レバー１３が設けられている。解除レバー１３の操作によって前面パネル１１は前側に開き、プリンター１の内部においてロール紙を収容するロール紙収容部（図示略）が露出する。従って、ユーザーは、解除レバー１３を操作して前面パネル１１を開くことで、ロール紙を本体ケース１０内に装填できる。
また、前面上部パネル１２は、プリンター１の前面上部から、プリンター１の上面の前部に跨って配置される。前面上部パネル１２は、排紙口１６の上部に位置してロール紙を切断するカッター機構（図示略）を覆うカバーである。
また、前面パネル１１の下部には、プリンター１の動作状態（電源のオン／オフ、エラーの有無、紙の残り状態等）に応じて点灯／点滅するＬＥＤを備えた表示部１４、および、ロール紙の送りをユーザーが指示するためのフィードボタン１５が設けられている。
【００１１】
一方、ケースカバー２０は、プリンター１の上面および背面上部を構成する上面パネル部材２１と、プリンター１の背面下部を構成する背面パネル部材２２と、プリンター１の底面を構成する底面パネル部材２３とによって構成される。
プリンター１の上面において、上面パネル部材２１は、前面上部パネル１２と付き合わされる。上面パネル部材２１と前面上部パネル１２との境界に形成される溝１７の底は、上面パネル部材２１側では閉止されており、前面上部パネル１２側では図示しないパッキンにより防水されている。
【００１２】
上面パネル部材２１の上面２１ａは、溝１７後端からプリンター１の背面にかけて、プリンター１の設置面に対して傾斜する傾斜面であり、プリンター１の前面側が高く、背面側が低くなっている。上面パネル部材２１の背面２１ｂおよび背面パネル部材２２は、設置面に対してほぼ垂直な平面を構成する。
また、上面２１ａの前端近傍の側部には、プリンター１の電源のオンとオフとを切り替える電源スイッチ３０が設けられている。電源スイッチ３０は、所定量のストロークで押し込み操作される押しボタンスイッチであり、この電源スイッチ３０が押し込まれる毎に、プリンター１の電源のオンとオフとが切り替わる。
電源スイッチ３０の近傍には、上面パネル部材２１を金型により成形加工する際に生じる板厚のヒケを防止するため、肉盗み穴２１ｃが形成されている。肉盗み穴２１ｃは上面パネル部材２１の上面２１ａを貫通する穴であり、電源スイッチ３０よりもプリンター１の背面の側に複数並んで形成されている。
【００１３】
図２は、電源スイッチ３０の近傍を示す平面図である。
上面２１ａには、電源スイッチ３０を収容するため、平面視で略矩形に開口するスイッチ穴２６が形成されており、このスイッチ穴２６の中に、スイッチ穴２６よりもわずかに小さい略矩形状に形成された操作子３１が配設されている。操作子３１は、電源スイッチ３０の操作部であり、プリンター１の電源をオン／オフするために押圧操作される。
上述のように、プリンター１は厨房で用いられるため、水や各種のソース等の粘性の高い液体が電源スイッチ３０に浸入する可能性があり、特に、指等に付着した液体が、電源スイッチ３０を操作する際に浸入することが考えられる。このため、プリンター１の電源スイッチ３０には、電源スイッチ３０への液体の浸入を防止するシート４０が貼り付けられている。
【００１４】
シート４０は、電源スイッチ３０および肉盗み穴２１ｃを覆う略長方形のシートである。シート４０は、ウレタンエラストマー製であり、ウレタンエラストマーの特徴である耐水性、柔軟性、弾性、耐久性、機械的強度、耐油性および耐候性等に優れた特性を備えている。このため、シート４０越しに電源スイッチ３０を押圧操作すると、特に強い力を加えなくてもシート４０が撓んで電源スイッチ３０を必要量押し込むことができ、操作子３１を操作できる。
ここで、シート４０に用いるウレタンエラストマーとしては、ポリエステル系、ポリエーテル系のいずれを用いてもよく、詳細な組成やメーカー等は任意である。
このシート４０は、突起等が形成されていない平坦なシートであるが、電源スイッチ３０が存在することを指の触覚で知ることができるように、表面に凹凸を設けてもよい。
また、シート４０は、透明であってもよいし、不透明であってもよい。本実施形態では半透明のシート４０を用いているので、操作位置、すなわち操作子３１の位置を示す押圧位置表示４０ａが印刷されている。シート４０の透明度が高い場合には、押圧位置表示４０ａをシート４０の裏面側に印刷すれば、使用に伴う印刷の劣化を防止できる。また、透明なシート４０を用いた場合にはシート４０を透過して操作子３１の存在が見えるので、操作子３１の上面に、操作位置の目安となる記号等を付しておいてもよい。
【００１５】
図３は、図２のＡ−Ａ´断面図であり、図４は、図２のＢ−Ｂ´断面図である。これら図３及び図４は、いずれも、電源スイッチ３０が操作されていない状態を示す。
これらの断面図に示すように、上面パネル部材２１には凹部が設けられ、この凹部がスイッチ穴２６となっている。スイッチ穴２６には、操作子３１と、操作子３１を下方から支持する弾性部材３２とが配設されている。弾性部材３２は、操作子３１と、スイッチ穴２６の底部２５との間に介装されており、操作子３１を下方から支持する。操作子３１が押圧された場合には、弾性部材３２の弾性によって操作子３１が下方に押し込まれ、操作子３１への押圧力が解除されると、弾性部材３２が復元して操作子３１を元の位置まで上昇させる。
また、操作子３１の下部は、底部２５に形成された孔２５ａを貫通している。操作子３１の直下には、基板３７に実装された操作検出部３３が配置され、操作子３１が押し込まれた場合には操作子３１の下端が操作検出部３３に接近し、或いは接触する。操作検出部３３は、操作子３１の接近または接触を検出するスイッチ式センサーであって、この操作検出部３３の検出状態に応じて、基板３７に実装された制御装置（図示略）により、プリンター１の電源のオン／オフが切り替えられる。
【００１６】
スイッチ穴２６の周縁部には、上面２１ａより一段窪んだ段差部２１ｄが形成されている。この段差部２１ｄは、シート４０が無い状態で操作子３１を押圧操作しやすくするための段差であり、図２に示すようにスイッチ穴２６の周囲を囲むように形成されている。シート４０を配設するにあたって、段差部２１ｄには、上面２１ａとの高さの差を減らすためにスペーサー３５が貼り付けられ、上面２１ａとスペーサー３５の上面とは略面一となっている。
シート４０は、両面粘着テープ３６によって、上面２１ａに固定されている。両面粘着テープ３６は合成樹脂製のフィルムの両面に粘着剤を付加したもので、両面粘着テープ３６は、スイッチ穴２６および肉盗み穴２１ｃの周囲と、スペーサー３５の上面とに貼り付けられ、これらの面とシート４０とを接着固定する。
【００１７】
ところで、電源スイッチ３０が押圧されていない状態では、操作子３１の上面と段差部２１ｄの上面とは略同一の高さに位置し、操作子３１の上面は上面２１ａおよびシート４０から離れて一段下方に位置している。また、図３の側面視においては、操作子３１の上面は上面２１ａの傾斜に合わせて傾斜し、シート４０よりも一段下方に位置している。
そして、両面粘着テープ３６は、操作子３１の上面を避けて配設されており、操作子３１の上面とシート４０とは接着されておらず、接離可能であり、操作子３１の非操作時には、操作子３１とシート４０とは離れている。
上述したように、シート４０は柔軟性及び弾性に優れているものであるから、大きく伸縮させることが可能であるが、このシート４０を別の部材に貼り付けた場合、貼り付けられた部分の伸縮性は別の部材の伸縮性に制限される。これに対し、シート４０が他の部材に貼り付けられていない部分では、シート４０が持つ本来の伸縮性が発揮される。つまり、本実施形態では、シート４０に対して大きな面積を有する操作子３１の上面をシート４０に固定しないようにすることで、シート４０を大きく伸縮させることが可能な状態としている。これにより、シート４０を設けても、電源スイッチ３０の操作時に必要な押圧力の増大を防ぐことができる。
この構成において、シート４０は、肉盗み穴２１ｃ及びスイッチ穴２６の周囲を囲むように接着固定されているので、外部から肉盗み穴２１ｃ及びスイッチ穴２６への液体の浸入を防止できる。
なお、両面粘着テープ３６の粘着材に、糊残りが生じにくいものを使用すれば、シート４０を交換または除去の際に上面２１ａに付着した糊を取り除く手間を省くことができ、作業性が良い。
【００１８】
本実施の形態では、シート４０の材料として、柔軟で可撓性が高いウレタンエラストマーを用いたため、操作子３１の操作に要するストローク量が比較的大きくてもシート４０を撓ませて十分に押し込むことができ、操作子３１を良好な操作感で操作できる。また、ウレタンエラストマーは高強度であり、かつ、耐久性に優れているため、電源スイッチ３０の繰り返しの操作に耐えることができ、さらに、耐油性に優れているため、油が使用される厨房等で用いる防水部材として好適である。
操作子３１を大きくストロークさせなければ電源スイッチ３０の切替えが実行されない構成とすれば、ユーザーが誤ってプリンター１に接触した場合等、意図せず電源スイッチ３０が押圧されたときに電源のオン／オフが切り替わらないので、誤操作を防止できる。このような構成において、本実施形態のシート４０は、操作性を損なうことなく容易に防水構造を実現できる手段として、有用である。また、１枚のシート４０を貼り付けて電源スイッチ３０および肉盗み穴２１ｃを覆った構成であるため、容易に防水構造を実現でき、シート４０の交換等の修理が容易である。また、防水パッキンを用いて電源スイッチ３０を防水する構造とした場合には、防水パッキンと操作子３１との間に浸入した液体等が固化して操作を妨げるおそれがあるが、本実施の形態では、シート４０で電源スイッチ３０を覆っているため、液体等が電源スイッチ３０内に浸入しないので、電源スイッチ３０の操作性を常に良好な状態に保つことができる。
【００１９】
また、上面パネル部材２１は、金型による樹脂成形によって、上面２１ａ及び背面２１ｂを含む全体が同時に成形される。この樹脂成形の際、上面パネル部材２１は、背面２１ｂを下側として、底部２５を含む上面２１ａの内側形状に対応した金型を、図３中に矢印Ｘで示す方向、すなわち、背面２１ｂの面に対して略垂直に、上に離型して製造される。このため、上面２１ａの裏面は、金型を矢印Ｘの方向に移動できる形状でなくてはならず、金型が入り込んで移動できなくなるような凹部を形成することができないので、スイッチ穴２６の横に周囲板厚よりも厚い厚肉部２９が形成される。この厚肉部２９は機能的な意味を持たず、スイッチ穴２６の底部２５を樹脂成形するために生じてしまう箇所である。厚肉部２９は、樹脂成形された上面２１ａが冷却される際に、周辺の部分よりも温度が下がりにくいので、外観面の板厚のヒケを生じやすい。そこで、プリンター１においては、厚肉部２９に肉盗み穴２１ｃを設け、外観面に生ずる板厚のヒケを防止している。
【００２０】
以上説明したように、本発明を適用した実施の形態によれば、上面パネル部材２１を備えた構成において、押しボタン式の操作子３１を収めるスイッチ穴２６および肉盗み穴２１ｃをウレタンエラストマー製のシート４０によって覆うことで、操作子３１および肉盗み穴２１ｃへの液体の浸入を防止できるとともに、耐久性および可撓性に富むウレタンエラストマーのシート４０を用いることで、操作時のストローク量が大きい操作子３１であっても十分に押し込むことができ、良好な操作感で操作できる。これにより、プリンター１が備える操作子３１の操作性を損なうことなく、簡単な構成によって防水できる。また、上面パネル部材２１を金型による樹脂成形で形成するためにヒケ防止用の肉盗み穴２１ｃを設けた構成において、スイッチ穴２６とともに肉盗み穴２１ｃを容易に防水できるので、プリンター１の加工性を損なうことなく、防水性を確保できる。そして、スイッチ穴２６と肉盗み穴２１ｃが設けられた上面パネル部材２１は、本体１０の上面および背面を構成するので、スイッチ穴２６と肉盗み穴２１ｃとを防水することで、プリンター１の上面全体を防水することができ、簡単な構成によってプリンター１の防水性能を大幅に高めることができる。
【００２１】
また、スイッチ穴２６にシート４０を接着により簡単に固定することができ、操作子３１の上面がシート４０の裏面に張り付いていないため、シート４０の伸縮が妨げられない。このため、シート４０が十分に伸縮可能であり、良好な操作性を確保できる。
また、樹脂成型時に厚肉部２９が形成される部分に肉盗み穴２１ｃを設けても、シート４０によってスイッチ穴２６とともに肉盗み穴２１ｃを防水できる。
さらに、プリンター１の設置面に対して斜面となっている上面２１ａにおいて、スイッチ穴２６よりも下方に位置する肉盗み穴２１ｃを、シート４０によってスイッチ穴２６と一緒に覆うことで、液体が流れる場合の下流側に位置する肉盗み穴２１ｃを、スイッチ穴２６と同時に、シート４０によって容易に、かつ確実に防水できる。
さらに、電源スイッチ３０を簡単かつ交換等の修理が容易な構造によって防水できる。また、誤操作を防止するため深い押し込み量に設定されることが多い電源スイッチに対応して、操作性を損なうことなく、防水構造を適用できる。
なお、上記実施形態においては、上面パネル部材２１の上面２１ａにシート４０を貼り付けた構成を例に挙げて説明したが、本発明はこれに限定されるものではなく、シート４０の厚みに相当する凹部を設けて、この凹部にシート４０を納めた構成としてもよい。
本実施形態の変形例として、電源スイッチ３０の周囲に、シート４０を貼り付けるための凹部５１を設けた構成を、図５に示す。この図５に示す変形例において上記実施の形態と同様の部分には、同一の符号を付して説明を省略する。
変形例の構成では、上面２１ａには、シート４０が納められるサイズの、略矩形の凹部５１が形成されている。この凹部５１は、スイッチ穴２６の周縁部を、上面２１ａより一段窪んだ高さに凹ませた部分である。凹部５１の深さは、シート４０の厚みと略同一になっている。
この凹部５１にシート４０を嵌め込むように貼り付けた場合、シート４０が上面２１ａより高くならず、シート４０の縁部４０ｂが上面２１ａに突出しない。このため、シート４０の縁部４０ｂに物等が引っ掛かってシート４０が剥がれてしまうことを防止でき、長期間にわたって快適に使用できる。
【００２２】
なお、上記実施の形態は本発明を適用した一態様を示すものであって、本発明は上記実施の形態に限定されない。例えば、上記実施の形態では、縦長の本体１０を有するプリンター１を例に挙げて説明したが、本発明はこれに限定されるものではなく、横長あるいは平たい本体を有するプリンターにおいても適用可能である。また、ウレタンエラストマー製のシート４０によって、スイッチ穴２６、肉盗み穴２１ｃ及びこれらの周囲を覆う構成を例に挙げて説明したが、本発明はこれに限定されるものではなく、スイッチ穴２６及び肉盗み穴２１ｃを含む、より広い範囲をシート４０によって覆う構成としてもよく、例えば、溝１７よりも前までシート４０によって覆う構成としてもよい。また、電源スイッチ３０における操作子３１やスイッチ穴２６の形状、操作子３１のストローク量、段差部２１ｄの深さなどは任意であり、上面パネル部材２１によって本体１０の上面全部と背面全部を構成してもよく、この上面パネル部材２１がプリンター１の前面まで跨る構成とすることもでき、その他のプリンター１の細部構成についても任意に変更可能であることは勿論である。また、本発明は、サーマルプリンターに限定されず、インクジェット式やドットインパクト式、熱昇華型等の各種方式プリンター及びプリンター以外の画像記録装置にも適用可能である。
【図面の簡単な説明】
【００２３】
【図１】本発明を適用した実施の形態に係るプリンターを示す斜視図である。
【図２】電源スイッチの近傍を示す平面図である。
【図３】図２のＡ−Ａ´断面図である。
【図４】図２のＢ−Ｂ´断面図である。
【図５】変形例における電源スイッチの近傍を示す断面図である。
【符号の説明】
【００２４】
１…プリンター（画像記録装置）、１０…本体ケース（本体）、１６…排紙口、２１…上面パネル部材、２１ａ…上面、２１ｂ…背面、２１ｃ…肉盗み穴、３０…電源スイッチ、３１…操作子、３２…弾性部材、３３…操作検出部、４０…シート。
【図１】
2010149378.tif 000003
【図２】
2010149378.tif 000004
【図３】
2010149378.tif 000005
【図４】
2010149378.tif 000006
【図５】
2010149378.tif 000007